(57)【要約】【課題】化粧縁などの別部材を用いてヒケ部などを目隠すなどの余分な取り付けを必要とせずに、スイッチ取付面部の裏面側にスイッチ取付金具を取り付けることができ、しかも、生産性やコスト面においても有益なスイッチ取付金具の取付構造を提供する。【解決手段】曲げ加工が可能な板材からなるレンジフードＡの前面部１ａに開口されている窓孔４の孔縁を前面部１ａの裏面側に向けて折り曲げ延設することにより、裏面側に突設させた金具保持部５を備え、この金具保持部５に、スイッチ取付金具６に開口されている挿通孔１１を外嵌めにて挿通させ、該挿通孔１１からスイッチ取付金具６の裏側に突出する金具保持部５の開口縁部側の備えた帯形状の曲げ片部５ａを、スイッチ取付金具６の裏面に圧接させるように外向きに折り曲げることにより、スイッチ取付金具６をレンジフードＡの前面部１ａの裏面側に取り付けるように構成したことにある。【選択図】図１
2008287958.tif 000002
【特許請求の範囲】
【請求項１】
曲げ加工が可能な板材からなるスイッチ取付面部に開口されている窓孔から、該スイッチ取付面部の表面側に向けて操作部を突出させるように、該操作部を備えているスイッチボックスを前記スイッチ取付面部の裏面側に取り付け保持させるためのスイッチ取付金具の取付構造であって、
前記スイッチ取付金具が取り付けられる前記スイッチ取付面部の裏面側に、前記窓孔の孔縁を延設させることにより突設させた金具保持部を備え、
この金具保持部に、前記スイッチ取付金具に開口されている挿通孔を外嵌めにて挿通させた後に、該挿通孔から前記スイッチ取付金具の裏側に突出する前記金具保持部の開口縁部側を、前記スイッチ取付金具の裏面に圧接させるように外向きに折り曲げることを特徴とするスイッチ取付金具の取付構造。
【請求項２】
前記金具保持部は、前記スイッチ取付金具の裏面に圧接されるように外向きに折り曲げられる開口縁部側に、帯形状の曲げ片部を縁方向の数ヶ所に備えていることを特徴とする請求項１に記載のスイッチ取付金具の取付構造。
【請求項３】
前記金具保持部は、前記窓孔の孔縁を、前記スイッチ取付面部の表面側から裏面側へ向けて折り曲げた略ラッパ形状にて形成されていることを特徴とする請求項１または請求項２に記載のスイッチ取付金具の取付構造。
【請求項４】
前記スイッチ取付面部が、レンジフードを構成するフード部の前面部であることを特徴とする請求項１から請求項３のいずれか1項に記載のスイッチ取付金具の取付構造。
【発明の詳細な説明】
【技術分野】
【０００１】
本発明は、スイッチ取付金具の取付構造に係り、例えば、金属板材などを用いたプレスなどによる曲げ加工によって形成されるオーディオ機器やその他の電気機器類などの外装ケース、或いはレンジフードを構成するフード部などのスイッチ取付面部の裏面側に、操作部を備えているスイッチボックスを保持させるためのスイッチ取付金具を取り付ける取付構造に関する。
【背景技術】
【０００２】
オーディオ機器やその他の電気機器類などの金属製の外装ケース（筐体）、或いは調理中に発生する廃ガスなどの汚染空気（汚染物質）を屋外に排気するために加熱調理器具の上方に設置されるレンジフードの金属製のフード部では、スイッチ取付面部の裏面側に、ネジ止めやリベット止め、或いはスポット溶接などの手段によりスイッチ取付金具を取り付けている。そして、このスイッチ取付金具に、それぞれ用途（機能）に応じた操作部を備えているスイッチボックスをネジ止めなどにより取り付けることで、スイッチ取付面部に開口されている窓孔から操作部を突出させるようにしている。
【０００３】
例えば、レンジフードの例を挙げると、特許文献１において開示されている取付構造が知られている。
特許文献１において開示されている取付構造では、図２、図３に示されているように、スイッチ取付面部であるフード部の前板（前面部）の裏面側に、スポット溶接などの固定手段により取り付けられる取付台にスイッチボックスをネジ止めなどにより取り付け保持させることで、スイッチボックスに備えられている操作部を、前板の窓孔（ガイド孔）から前板の表面側に突出させるようにしている。
【特許文献１】特開平８−２８５３４４号公報（段落番号０００２、００１２〜００２０、および図２、図３参照）
【発明の開示】
【発明が解決しようとする課題】
【０００４】
しかしながら、従来では、スイッチ支持枠を介して操作部を備えているスイッチボックスを取り付けるための取付台を、スポット溶接などによりフード部の前板の裏面側に取り付ける構造を採用しているために、前板の表面側にはスポット溶接によるヒケ部（スポット痕）などが残り易い。
そのために、従来では、ヒケ部による外観的な見栄えの低下を防ぐために、化粧縁を前板の表面側に取り付けなどの余分な取付工程が必要となり、生産性に影響を与えるなどの不具合を有していた。
また、化粧縁を別途に製作するなどの必要があることから、コスト面においても不具合を有していた。
【０００５】
そこで、本発明は、前記課題を解消するために創案されたものであり、化粧縁などの別部材を用いてヒケ部などを目隠すなどの余分な取り付けを必要とせずに、スイッチ取付面部の裏面側にスイッチ取付金具を取り付けることができ、しかも、生産性やコスト面においても有益なスイッチ取付金具の取付構造を提供することにある。
【課題を解決するための手段】
【０００６】
前記課題を解決するために、本発明では、曲げ加工が可能な板材からなるスイッチ取付面部に開口されている窓孔から、該スイッチ取付面部の表面側に向けて操作部を突出させるように、該操作部を備えているスイッチボックスを前記スイッチ取付面部の裏面側に取り付け保持させるためのスイッチ取付金具の取付構造であって、
前記スイッチ取付金具が取り付けられる前記スイッチ取付面部の裏面側に、前記窓孔の孔縁を延設させることにより突設させた金具保持部を備え、この金具保持部に、前記スイッチ取付金具に開口されている挿通孔を外嵌めにて挿通させた後に、該挿通孔から前記スイッチ取付金具の裏側に突出する前記金具保持部の開口縁部側を、前記スイッチ取付金具の裏面に圧接させるように外向きに折り曲げることを特徴とする。
ここで、前記窓孔は、前記操作部の断面形状（輪切り断面形状）に合わせた丸型や角型などの開口形状にて前記スイッチ取付面部に開口される。そして、前記金具保持部は、前記スイッチ取付金具の裏面に圧接されるように外向きに折り曲げられる開口縁部側に、帯形状の曲げ片部を縁方向の数ヶ所に備えていることが好適なものとなる。
【０００７】
このような構成によれば、スイッチ取付金具に開口されている挿通孔を、スイッチ取付面部の裏面側に備えた金具保持部に外嵌めにて挿通させた後に、挿通孔から突出する金具保持部の開口縁部側を、スイッチ取付金具の裏面側に圧接させるように外向きに折り曲げることで、スイッチ取付金具をスイッチ取付面部の裏面側に取り付け保持させることができる。
このとき、スイッチ取付金具の裏面側に圧接させるように外向きに折り曲げる金具保持部全体、または、その開口縁部側が、帯形状に突設させた数ヶ所の曲げ片部により形成されている構造を採用することで、小さな力で曲げ加工が可能になる。これにより、曲げ加工による応力歪みなど発生を抑えることができる。
また、スイッチ取付金具の挿通孔を、金具保持部に外嵌めにより挿通させてスイッチ取付面部の裏面側にスチッチ保持金具を取り付けようにしていることで、スイッチ取付金具のスイッチ取付面部の裏面側に対する取り付け位置合せが確実となる。つまり、スイッチ取付金具にネジ止めなどによって取り付け保持されるスイッチボックスの操作部を、窓孔の軸芯（孔芯）線上に正確に位置合せさせた状態で、該窓孔からスイッチ取付面部の表面側に突出させることができる。
これにより、操作部が窓孔の孔縁に接触するなどの芯ズレによる動作不良などを引き起こすことがない状態で、窓孔からスイッチ取付面部の表面側に操作部を突出させることができる。
【０００８】
また、本発明では、前記金具保持部が、前記窓孔の孔縁を、前記スイッチ取付面部の表面側から裏面側へ向けて折り曲げた略ラッパ形状に形成されていることを特徴とする。さらに、本発明では、前記スイッチ取付面部が、レンジフードを構成するフード部の前面部であることを特徴とする。
【０００９】
このような構成によれば、スイッチ取付面部の表面側に位置する窓孔の孔縁は、断面が丸くなる。つまり、操作部が突出するスイッチ取付面部の表面側における窓孔の孔縁には角がない丸みをおびたスッキリ感にて調理者から目視されることとなる。
また、スポット溶接などによる取り付けを不要としたことで、金属の質感を引き出すことができる。これにより、例えば、ステンレス鋼板などを用いてレンジフードのフード部などを形成する傾向が見られてきている近年のデザイン性の対応ニーズが可能となる。
【発明の効果】
【００１０】
本発明のスイッチ取付金具の取付構造は以上のように構成されていることで、従来のようにスポット溶接などによるヒケ部を目隠すための化粧縁などの別部材を、スイッチ取付面部の表面側に取り付ける必要がなくなることで、スイッチ取付金具の取付性の向上が図られる。しかも、別部材が不要となるなどにより、コストの削減と、生産性の向上が図られるなどの効果を期待することができる。
【００１１】
また、スイッチ取付金具の裏面に圧接させるように外向きに折り曲げられる金具保持部の開口縁部側は、小さな力で折り曲げられるように帯形状に突設させた数ヶ所の曲げ片部により形成されていることで、曲げ応力による歪み痕などがスイッチ取付面部の表面側に生じることはない。
これにより、スイッチ取付面部が、レンジフードのフード部の前面部であり、フード部がステンレス鋼板などにより形成されている場合などには、フード部のステンレス鋼板から得られる質感による外観的な見栄えを低下させることを抑えることができる。
【００１２】
また、スイッチ取付面部の窓孔の孔縁に接触するなどの芯ズレによる動作不良などを引き起こすことがない状態で、操作部を、窓孔からスイッチ取付面部の表面側に正確に突出させて臨ませることができる。
【発明を実施するための最良の形態】
【００１３】
以下、本発明の実施形態について、適宜図面を参照しながら詳細に説明する。
図１は、本発明の実施形態に係るスイッチ取付金具の取付構造を適用したレンジフードを示す縦断側面図であり、図２は、窓孔が開口されるフード部の前面部の一部を、フード部の内側から見たときの状態を拡大して示す斜視図である。
【００１４】
≪レンジフードの構成≫
レンジフードＡは、周知の構造を呈している。つまり、図１に示すように、下向きに開口するフード部１と、このフード部１が連通状に取り付けられる送風機ユニット２とを備えて、送風機ユニット２の運転開始の操作（ＯＮスイッチ）によって、調理中に発生する油煙などの汚染空気をフード部１内に吸い込み捕集しながら送風機ユニット２に接続される排気ダクトＢから屋外に排気するように構成されている。
【００１５】
≪フード部の構成≫
フード部１は、曲げ加工が可能な板材、例えばステンレス鋼板などから下向きに開口する扁平箱型に形成されている。そして、フード部１は、図１に示すように、調理者側に面するスイッチ取付面部である前面部１ａに操作部３を備えている。
また、フード部１は、図２に示すように、前面部１ａに横一列の並列状に開口させた窓孔４を備え、この窓孔４の孔縁から前面部１ａの裏面側に向けて折り曲げ延設させることにより、裏面側に金具保持部５を備えている。
【００１６】
≪窓孔の構成≫
窓孔４は、操作部３の輪切り断面形状と略同形の口径にて横一列の等間隔をおいた並列状にフード部１の前面部１ａに開口されている。そして、窓孔４は、図２に示すように、孔縁から前面部１ａの裏面側に向けて略ラッパ形状に折り曲げ延設させることにより、該裏面側に適宜の高さにて突設させた金具保持部５が形成されるようにしている。
つまり、窓孔４は、フード部１の前面部１ａに開口されるときに、バーリング加工法による前面部１ａの表面側から裏面側に向けた孔抜き加工によって、前面部１ａに開口されると同時に前面部１ａの裏面側には金具保持部５が形成される。
これにより、図１に示すように、前面部１ａの表面側（調理者側）に位置する窓孔４の孔縁は、角がない丸みをおびたスッキリ感にて調理者から目視されるようにしている。
【００１７】
≪金具保持部の構成≫
金具保持部５は、フード部１の前面部１ａの裏面側に、後記するスイッチ取付金具６を加締固定するように取り付けるためのものであり、前面部１ａの裏面からの突出高さＬが、スイッチ取付金具６の板厚ｔ以上となるように円筒形状に形成されている。
なお、金具保持部５の突出高さＬは、図２に示すように、前面部１ａに横一列の等間隔をおいて並列状に開口される５ヶ所の窓孔４のうち、真ん中１ヶ所と、両側２ヶ所の計３ヶ所においてはスイッチ取付金具６の板厚ｔ以上となるように円筒形状に形成され、残る２ヶ所においては板厚ｔと略同じ程度の突出高さにて形成されている。
【００１８】
また、金具保持部５は、図２に示すように、細い帯形状の曲げ片部５ａを縁方向の数ヶ所に備えている。
曲げ片部５ａは、前面部１ａの裏面（根元）からの金具保持部５の突出高さが、スイッチ取付金具６の板厚ｔに相当する高さ部位ｔ１から金具保持部５の開放端部に至る範囲において対角線上の２ヶ所にそれぞれ形成されて、図１および後記の図４に示すように、スイッチ取付金具６の裏面に圧接されるように外向きに折り曲げられるようにしている。
【００１９】
≪操作部の構成≫
図３は、スイッチボックスおよびスイッチ取付金具を示す斜視図である。ここでは、図２を適宜参照しながら説明する。
操作部３は、送風機ユニット２の排気装置２ａの運転ＯＮ／ＯＦＦ切り替え操作、そして、運転のときには高速運転、中速運転、低速運転に切り替え、さらにはフード部１の下向き開口の後側などに備えられている電球などの照明Ｃの点灯・消灯を切り替えるためのＯＮ／ＯＦＦ操作を行うプッシュタイプのスイッチである。
つまり、操作部３は、図３に示すように、スイッチボックス７に対し、横一列で所定の間隔をおいた５ヶ所おいて並列状に備えられている。
【００２０】
≪スイッチボックスの構成≫
スイッチボックス７は、周知のように合成樹脂材料などによって一体に形成されている。このスイッチボックス７は、フード部１の前面部１ａに開口されている窓孔４の開口間隔をおいて操作部３を並列状に備える横長矩形形状を呈している本体部７ａと、この本体部７ａの長辺一側面において形成されている鍔部７ｂとを備えている。
そして、スイッチボックス７は、本体部７ａの短辺両側から側方に向けて突出する鍔部７ｂにネジ挿通孔８を備えており、スイッチ取付金具６の後記するフランジ部６ｂにネジ９を用いて取り付け保持させるようにしている。
【００２１】
≪スイッチ取付金具の構成≫
スイッチ取付金具６は、適宜厚さを有する金属製の板材を用いた打ち抜きと折り曲げ加工により形成されるであり、図３に示すように、スイッチボックス７の本体部７ａが収容される横長矩形形状で長辺一側を開口させた箱形形状に形成されている収容部６ａと、この収容部６ａの開口側における短辺両側縁より側方に向けて折り曲げ延設させたフランジ部６ｂとを備えて形成されている。そして、両側のフランジ部６ｂにはネジ孔１０を有するボス部１１を備えている。
【００２２】
また、スイッチ取付金具６は、図３に示すように、スイッチボックス７に備えられている操作部３の並列間隔をおいて開口されている挿通孔１２を収容部６ａの底面部に備えている。
挿通孔１２は、フード部１の前面部１ａの裏面に備えられている金具保持部５に対して外嵌めにより挿通セットされる程度の口径にて収容部６ａの底面部に横一列の並列状に開口されている。
【００２３】
つぎに、フード部１の前面部１ａの裏面側に対するスイッチ取付金具６の取り付け方について簡単に説明する。
図４は、スイッチ取付金具をフード部の前面部の裏面側に取り付け保持させた状態を示す斜視図と縦断面図である。ここでは、図１および図２を適宜参照しながら説明する。
フード部１の前面部１ａの裏面側に備えられている金具保持部５に対し、スイッチ取付金具６の挿通孔１１を外嵌めにて挿通させることにより、前面部１ａの裏面にスイッチ取付金具６を宛がうようにセットする。
そして、図２に示すように、５ヶ所の金具保持部５のうち、３ヶ所の金具保持部５に備えられている曲げ片部５ａを、スイッチ取付金具６の収容部６ａの底面に圧接させるようにそれぞれ外向きに折り曲げる。
これにより、スイッチ取付金具６を、図４に示すように、前面部１ａの裏面側に圧接保持させた状態で取り付けることができる。
【００２４】
このようにして、スイッチ取付金具６をフード部１の前面部１ａの裏面側に圧接保持させた後に、スイッチボックス７をフード部１の内側からスイッチ取付金具６に抱かせるように宛がい、ネジ９を用いてスイッチボックス７の鍔部７ｂをスイッチ取付金具６の両側のフランジ部６ｂのネジ孔１０にネジ止め固定する。
これにより、図１に示すように、操作部３をフード部１の前面部１ａに開口されている窓孔４から前面部１ａの表面側に突出させた状態でスイッチボックス７を前面部１ａの裏面側に取り付け保持させることができる。
【００２５】
このように構成されている本実施形態に係るスイッチ取付金具６の取付構造によれば、スポット溶接などを必要とせずに、スイッチ取付金具６をフード部１の前面部１ａの裏面側に簡単かつ容易に取り付け保持させることができる。
そして、スイッチ取付金具６の収容部６ａの底面に圧接させるように外向きに折り曲げられる金具保持部５の開口縁部側には細い帯形状に突設させた曲げ片部５ａが備えられていることで、曲げ片部５ａを小さな力で外向きに折り曲げることができる。これにより、曲げ加工による応力歪みなどが窓孔４の孔縁などに発生することを抑えることができる。
【００２６】
」
また、スイッチ取付金具６の挿通孔１２を、フード部１の前面部１ａの金具保持部５に外嵌めにより挿通させてスチッチ保持金具６を前面部１ａの裏面側に取り付けようにしていることで、スイッチ取付金具６の前面部１ａの裏面側に対する取り付け位置合せが確実となる。つまり、スイッチ取付金具６にネジ９を用いて取り付け保持されるスイッチボックス７の操作部３を、前面部１ａの窓孔４の軸芯（孔芯）線上に正確に位置合せさせた状態で、窓孔４から前面部１ａの表面側に向けて突出させることができる。
これにより、操作部３が窓孔４の孔縁に接触するなどの芯ズレによる動作不良などを引き起こすことがない状態で、操作部３を窓孔４から前面部１ａの表面側に突出させることができる。
【００２７】
なお、本発明の実施形態に係る具体的な構成は、前記した実施形態に限られるものではなく、請求項１から請求項４に記載の本発明の要旨を逸脱しない範囲で設計変更などがあっても本考案に含まれるものである。
例えば、金具保持部５を窓孔４の孔縁からフード部１の前面部１ａの裏面側に向けてスイッチ取付金具６の板厚ｔ以上の円筒形状に折り曲げ突設させて、金具保持部５の開口縁部側全体をスイッチ取付金具６の裏面に圧接されるように外向きに折り曲げ拡開させることができる。
この場合、金具保持部５の開口縁部側に、筒方向で周方向に等間隔をおいた複数の拡開スリットを備えた構造とすることで、スイッチ取付金具６の挿通孔１１の孔縁を略全周にわたりフード部１の前面部１ａとの間に圧接保持させることができる。つまり、各拡開スリットの間に形成されている複数の帯板状の曲げ片部を外向きの放射状に折り曲げることによって、スイッチ取付金具６の挿通孔１１の孔縁全体をフード部１の前面部１ａとの間に圧接保持させることができる。
【００２８】
また、スイッチ取付金具６を取り付けるためのスイッチ取付面としては、オーディオ機器やその他の電気機器類などの外装ケースの前面部を挙げることができる。
【図面の簡単な説明】
【００２９】
【図１】本発明の実施形態に係るスイッチ取付金具の取付構造を適用したレンジフードを示す縦断側面図である。
【図２】窓孔が開口されるフード部の前面部の一部を、フード部の内側から見たときの状態を拡大して示す斜視図である。
【図３】スイッチボックスおよびスイッチ取付金具を示す斜視図である。
【図４】スイッチ取付金具をフード部の前面部の裏面側に取り付け保持させた状態を示し、（ａ）は、フード部の内側から見たときの斜視図であり、（ｂ）は、同縦断側面図である。
【符号の説明】
【００３０】
１      フード部
１ａ    前面部（スイッチ取付面部）
３      操作部
４      窓孔
５      金具保持部
５ａ    曲げ片部
６      スイッチ取付金具
７      スイッチボックス
１１    挿通孔
Ａ      レンジフード
【図１】
2008287958.tif 000003
【図２】
2008287958.tif 000004
【図３】
2008287958.tif 000005
【図４】
2008287958.tif 000006